(57)【要約】【課題】給排水処理の作業効率を高めて、作業時間を短縮することができると共に、コストも低減することができるホース用補助具を提供する。【解決手段】ホースＡの湾曲部Ａ１を間にして互いに組み合わされ、該湾曲部Ａ１の曲率に合わせて湾曲した半割筒形状であり、湾曲部Ａ１の変形を規制する一対のカバー半体１１，１２を備え、各カバー半体１１，１２は、互いに組み合わされる際、何れか一方に設けられた凸部２１が他方に設けられた受部２２に案内される位置決め手段２０と、何れか一方に設けられた係合部３１が他方に設けられた被係合部３２に係脱可能であり、凸部２１が受部２２に案内された状態で係合部３１が被係合部３２に係合すると、各カバー半体１１，１２が連結される組み付け手段３０と、を備える。【選択図】図１
2018194065.tif 000002
【特許請求の範囲】
【請求項１】
ホースの途中を所定の曲率で曲げた湾曲部に装着するホース用補助具において、
前記ホースの湾曲部を間にして互いに組み合わされ、該湾曲部の曲率に合わせて湾曲した半割筒形状であり、前記湾曲部の変形を規制する一対のカバー半体を備え、
前記各カバー半体は、互いに組み合わされる際、何れか一方に設けられた凸部が他方に設けられた受部に案内される位置決め手段と、何れか一方に設けられた係合部が他方に設けられた被係合部に係脱可能であり、前記凸部が前記受部に案内された状態で前記係合部が前記被係合部に係合すると、前記各カバー半体が連結される組み付け手段と、を備えることを特徴とするホース用補助具。
【請求項２】
前記位置決め手段は、一方のカバー半体の他方のカバー半体に対する筒軸方向への移動に伴って、前記凸部が前記受部に一方向から案内されるものであることを特徴とする請求項１に記載のホース用補助具。
【請求項３】
前記組み付け手段は、前記凸部が前記受部に案内された状態で、前記係合部が前記被係合部に筒軸方向と交差する方向からのスナップフィットにより係脱するものであることを特徴とする請求項１または２に記載のホース用補助具。
【請求項４】
前記各カバー半体は、前記ホースの湾曲部において下方となる湾曲内側と上方となる湾曲外側から上下に組み合わされる形状であり、前記湾曲内側に沿わせる下方のカバー半体の外周面に、前記ホースの湾曲部を載置する壁の上端縁に掛止させる取り付け手段を備えることを特徴とする請求項１，２または３に記載のホース用補助具。
【請求項５】
前記各カバー半体は、前記ホースの湾曲部における湾曲内側と湾曲外側に対して両側から組み合わされる形状であり、
前記位置決め手段の凸部と受部は、それぞれ前記各カバー半体の湾曲外側の頂部に設けられ、互いに案内された係合状態で、該係合箇所を中心として各カバー半体は開閉動作が可能となることを特徴とする請求項１，２または３に記載のホース用補助具。
【請求項６】
前記各カバー半体は、複数の筋が網目状に交差した半割筒形状に形成されていることを特徴とする請求項１，２，３，４または５に記載のホース用補助具。
【発明の詳細な説明】
【技術分野】
【０００１】
本発明は、ホースの途中を曲げた湾曲部に装着するホース用補助具に関する。
【背景技術】
【０００２】
従来より、例えば、土木・設備工事や農業等の様々な分野において、配管を用いた給排水処理が行われている。かかる給排水処理では、液体のみならず気体等も含めた流体が配管を通るに際して、如何にして抵抗が少なく、かつ効率良く流れるかが、コスト（エネルギー費用等）や作業時間に関係する重要な課題であった。
【０００３】
給排水処理に関する設備が、恒久的な設備として設置されるものであれば、費用をかけてでも予め最良の配管設計を行うことになる。しかしながら、例えば、給排水タンクのメンテナンス時にタンク内の液体を一時的に排水する場合等のように、一時的な仮設の設備で対応するような場合、一般に安価で扱いやすい塩化ビニル製のホースを用いた簡易設備によって給排水処理が行われる。
【０００４】
塩化ビニル製のホースは、その素材の性質上、柔らかく曲がりやすいものであった。従って、ホース内部に液体が通る際に弱い水圧では曲がってしまい、逆に、強い水圧だと曲げるべき箇所で曲げることができなくなり、無理に曲げると折れるという現象が発生していた。かかる現象に関わらず、前記ホースは、通常は複数箇所において湾曲させて配管される。
【０００５】
前記ホースを湾曲させる箇所では、ホースが許容範囲を超えて曲げられると、ホースが折れて内部が潰れることにより、ホース内部を流れる流体の流動性が著しく低下するという不都合が生じる。そのため、給排水処理の作業時間が増大し、作業効率も低下するという問題があった。
【０００６】
このようなホースの折れや潰れによる問題を解決する技術として、例えば、特許文献１に示すように、曲管ホースの外周に装着する直管形状のプロテクターが既に提案されている。かかるプロテクターは、可撓性材料の直管からなり、直管の長さ方向にほぼ直角な複数の切込みを有することで、プロテクターを、直線芯棒に挿入した状態で曲管ホースの外周に押し込む際、曲管ホースの形状に沿って曲がりやすく、装着しやすいものであった。
【先行技術文献】
【特許文献】
【０００７】
【特許文献１】特開平８−１５２０９５号公報
【発明の開示】
【発明が解決しようとする課題】
【０００８】
しかしながら、前述した特許文献１に記載の従来の技術の場合、プロテクターをホースの外周に装着する際、別途用意した直線芯棒の一端にプロテクターを挿入し、この一端にホースを強制的に挿入する必要があり、別部品が必要であると共に、装着の操作が面倒であるという問題かあった。
また、ホースに強い力がかかると、プロテクターも切込みによって、ホースと共に折れ曲がるため、ホースの内部が潰れる虞もあった。
【０００９】
本発明は、以上のような従来技術が有する問題点に着目してなされたものであり、ホースの湾曲部に対して容易かつ迅速に装着することができ、装着したホースの湾曲部の折れ曲がりによる潰れを確実に防ぐことができ、給排水処理の作業効率を高めて、作業時間を短縮することができると共に、コストも低減することができるホース用補助具を提供することを目的としている。
【課題を解決するための手段】
【００１０】
前述した目的を達成するための本発明の要旨とするところは、以下の各項の発明に存する。  
［１］ホース（Ａ）の途中を所定の曲率で曲げた湾曲部（Ａ１）に装着するホース用補助具（１０）において、
前記ホース（Ａ）の湾曲部（Ａ１）を間にして互いに組み合わされ、該湾曲部（Ａ１）の曲率に合わせて湾曲した半割筒形状であり、前記湾曲部（Ａ１）の変形を規制する一対のカバー半体（１１，１２）を備え、
前記各カバー半体（１１，１２）は、互いに組み合わされる際、何れか一方に設けられた凸部（２１）が他方に設けられた受部（２２）に案内される位置決め手段（２０）と、何れか一方に設けられた係合部（３１）が他方に設けられた被係合部（３２）に係脱可能であり、前記凸部（２１）が前記受部（２２）に案内された状態で前記係合部（３１）が前記被係合部（３２）に係合すると、前記各カバー半体（１１，１２）が連結される組み付け手段（３０）と、を備えることを特徴とするホース用補助具（１０）。
【００１１】
［２］前記位置決め手段（２０）は、一方のカバー半体（１１）の他方のカバー半体（１２）に対する筒軸方向への移動に伴って、前記凸部（２１）が前記受部（２２）に一方向から案内されるものであることを特徴とする前記［１］に記載のホース用補助具（１０）。
【００１２】
［３］前記組み付け手段（３０）は、前記凸部（２１）が前記受部（２２）に案内された状態で、前記係合部（３１）が前記被係合部（３２）に筒軸方向と交差する方向からのスナップフィットにより係脱するものであることを特徴とする前記［１］または［２］に記載のホース用補助具（１０）。
【００１３】
［４］前記各カバー半体（１１，１２）は、前記ホース（Ａ）の湾曲部（Ａ１）において下方となる湾曲内側と上方となる湾曲外側から上下に組み合わされる形状であり、前記湾曲内側に沿わせる下方のカバー半体（１１，１２）の外周面に、前記ホース（Ａ）の湾曲部（Ａ１）を載置する壁（Ｗ）の上端縁に掛止させる取り付け手段（４０）を備えることを特徴とする前記［１］，［２］または［３］に記載のホース用補助具（１０）。
【００１４】
［５］前記各カバー半体（１１Ａ，１２Ａ）は、前記ホース（Ａ）の湾曲部（Ａ１）における湾曲内側と湾曲外側に対して両側から組み合わされる形状であり、
前記位置決め手段（２３）の凸部（２４）と受部（２５）は、それぞれ前記各カバー半体（１１Ａ，１２Ａ）の湾曲外側の頂部に設けられ、互いに案内された係合状態で、該係合箇所を中心として各カバー半体（１１Ａ，１２Ａ）は開閉動作が可能となることを特徴とする前記［１］，［２］または［３］に記載のホース用補助具（１０Ａ）。
【００１５】
［６］前記各カバー半体（１１，１２）は、複数の筋が網目状に交差した半割筒形状に形成されていることを特徴とする前記［１］，［２］，［３］，［４］または［５］に記載のホース用補助具（１０）。
【００１６】
次に、前述した解決手段に基づく作用を説明する。  
前記［１］に記載のホース用補助具（１０）は、ホース（Ａ）の湾曲部（Ａ１）を間にして互いに組み合わされ、該湾曲部（Ａ１）の曲率に合わせて湾曲した半割筒形状の一対のカバー半体（１１，１２）からなる。各カバー半体（１１，１２）を、ホース（Ａ）の湾曲部（Ａ１）に装着するには、該湾曲部（Ａ１）を間にして各カバー半体（１１，１２）を近接させつつ、先ず位置決め手段（２０）により、一方にある凸部（２１）を他方にある受部（２２）に案内させて位置決めする。
【００１７】
前記凸部（２１）が前記受部（２２）に案内された状態で、次に組み付け手段（３０）により、一方にある係合部（３１）を他方にある被係合部（３２）に係合させることにより、各カバー半体（１１，１２）は、ホース（Ａ）の湾曲部（Ａ１）の外周に装着された状態で互いに連結される。ホース用補助具（１０）によって、ホース（Ａ）の湾曲部（Ａ１）は所定の曲率以上に折れ曲がる等の変形が規制され、ホース（Ａ）の内部における流動空間の閉塞を防止することができる。
【００１８】
前記位置決め手段（２０）は、例えば前記［２］に記載したように、一方のカバー半体（１１）の他方のカバー半体（１２）に対する筒軸方向への移動に伴って、前記凸部（２１）が前記受部（２２）に一方向から案内されるものとすれば、簡易な構成かつ動作によって、各カバー半体（１１，１２）を互いに筒軸方向の一方向に対しては動かないように、確実に位置決めすることができる。
【００１９】
前記組み付け手段（３０）は、例えば前記［３］に記載したように、前記位置決め手段（２０）の凸部（２１）が受部（２２）に案内された状態で、前記係合部（３１）が前記被係合部（３２）に筒軸方向と交差する方向からのスナップフィットにより係脱するものとすれば、簡易な構成かつ動作によって、前記位置決めと相俟って各カバー半体（１１，１２）が容易に外れないように確実に連結することができる。
【００２０】
前記［４］に記載のホース用補助具（１０）によれば、各カバー半体（１１，１２）は、ホース（Ａ）の湾曲部（Ａ１）において下方となる湾曲内側と上方となる湾曲外側に対して上下から組み合わされる。ここで湾曲内側に沿わせる下方のカバー半体（１１，１２）の外周面に、ホース（Ａ）の湾曲部（Ａ１）を載置する壁（Ｗ）の上端縁に掛止させる取り付け手段（４０）があるため、ホース用補助具（１０）を介してホース（Ａ）の湾曲部（Ａ１）を、壁（Ｗ）の上端縁に対してズレないように容易に仮止めすることができる。
【００２１】
前記［５］に記載のホース用補助具（１０Ａ）によれば、各カバー半体（１１Ａ，１２Ａ）は、ホース（Ａ）の湾曲部（Ａ１）における湾曲内側と湾曲外側に対して両側から組み合わされる形状である。かかる形状において、前記位置決め手段（２３）の凸部（２４）と受部（２５）は、それぞれ各カバー半体（１１Ａ，１２Ａ）における湾曲外側の頂部に設けられ  互いに案内された係合状態で、該係合箇所を中心として各カバー半体（１１Ａ，１２Ａ）は開閉動作が可能である。そのため、各カバー半体（１１Ａ，１２Ａ）を開閉可能に組み合わされた状態で、ホース（Ａ）の湾曲部（Ａ１）に対して容易に装着することができる。
【００２２】
前記［６］に記載のホース用補助具（１０）によれば、各カバー半体（１１，１２）は、複数の筋が網目状に交差した半割筒形状に形成されている。これにより、重量を軽減することができると共に、材料費を削減することができる。
【発明の効果】
【００２３】
本発明に係るホース用補助具によれば、ホースの湾曲部に対して容易かつ迅速に装着することができ、装着したホースの湾曲部の折れ曲がりによる潰れを確実に防ぐことができ、給排水処理の作業効率を高めて、作業時間を短縮することができると共に、コストも低減することができる。
【図面の簡単な説明】
【００２４】
【図１】本発明の第１実施の形態に係るホース用補助具を示す斜視図である。
【図２】本発明の第１実施の形態に係るホース用補助具を示す正面図である。
【図３】本発明の第１実施の形態に係るホース用補助具を示す側面図である。
【図４】本発明の第１実施の形態に係るホース用補助具の下カバー半体を示す斜視図である。
【図５】本発明の第１実施の形態に係るホース用補助具の下カバー半体を示す正面図である。
【図６】本発明の第１実施の形態に係るホース用補助具の下カバー半体を示す側面図である。
【図７】本発明の第１実施の形態に係るホース用補助具の上カバー半体を示す斜視図である。
【図８】本発明の第１実施の形態に係るホース用補助具の上カバー半体を示す正面図である。
【図９】本発明の第１実施の形態に係るホース用補助具の上カバー半体を示す側面図である。
【図１０】本発明の第１実施の形態に係るホース用補助具の使用例を示す説明図である。
【図１１】本発明の第１実施の形態に係るホース用補助具の使用例を示す説明図である。
【図１２】本発明の第２実施の形態に係るホース用補助具を展開した状態を示す平面図である。
【発明を実施するための形態】
【００２５】
以下、図面に基づき本発明を代表する各種実施の形態を説明する。  
図１〜図１１は、本発明の第１実施の形態を示している。  
本実施の形態に係るホース用補助具１０は、ホースＡの途中を所定の曲率で曲げた湾曲部Ａ１に装着して、該湾曲部Ａ１が所定の曲率以上に折れ曲がることを規制するための器具である。
【００２６】
図１〜図３に示すように、ホース用補助具１０は、ホースＡの湾曲部Ａ１を間にして互いに組み合わされる一対のカバー半体１１，１２から構成されている。各カバー半体１１，１２は、ホースＡの湾曲部Ａ１の曲率に合わせて湾曲した半割筒形状であり、該湾曲部Ａ１の変形を規制する剛性を備えている。ホースＡは、例えば、塩化ビニル等により成形された一般的なものであり、液体や気体等の流体を送るための中空の管である。
【００２７】
各カバー半体１１，１２は、ホースＡの湾曲部Ａ１において下方となる湾曲内側と上方となる湾曲外側から上下に組み合わされる形状である。本実施の形態では、各カバー半体１１，１２のうち、ホースＡの湾曲部Ａ１の湾曲内側に沿わせる方を下カバー半体１１とし、湾曲部Ａ１の湾曲外側に沿わせる方を上カバー半体１２とする。各カバー半体１１，１２は、それぞれ両端が半円形の円弧状に形成された開口をなし、湾曲した筒軸方向に延びる両側端縁が互いに合わさって、全体的に湾曲した筒形状となる。
【００２８】
各カバー半体１１，１２は、互いに組み合わされる際、何れか一方に設けられた凸部２１が他方に設けられた受部２２に案内される位置決め手段２０と、何れか一方に設けられた係合部３１が他方に設けられた被係合部３２に係脱可能であり、前記凸部２１が前記受部２２に案内された状態で前記係合部３１が前記被係合部３２に係合すると、前記各カバー半体１１，１２が連結される組み付け手段３０と、を備えている。
【００２９】
図４〜図６に示すように、下カバー半体１１は、ホースＡの湾曲部Ａ１の下半側となる湾曲内側に沿わせる部位であり、全体的に複数のリブ（筋）が網目状に交差した半割筒形状に形成されている。下カバー半体１１を構成するリブは、両端の開口縁と両側端縁の外郭をなすリブが他のリブより太く、各リブは格子状に交差している。下カバー半体１１は、ホースＡの素材よりも高い剛性を備え、ある程度弾性変形が可能な合成樹脂等により成形されている。
【００３０】
下カバー半体１１の両側端縁の一端側には、位置決め手段２０の受部２２が設けられている。受部２２は、下カバー半体１１の外郭をなすリブの外周側に略三角形状に突設され、後述する凸部２１が一方向から当接して位置決めされる傾斜面２２ａを備えている。一方、下カバー半体１１の両側端縁の他端側には、組み付け手段３０の被係合部３２が設けられている。被係合部３２は、下カバー半体１１をなすリブ間の空隙の一つがそのまま利用され、後述する係合部３１が外側から嵌り込むように係合する箇所である。
【００３１】
また、下カバー半体１１の両側端縁の略中間には、後述する上カバー半体１２の両側端縁の中間にそれぞれ外側から被さる舌片状の係止片１３が突設されている。さらに、下カバー半体１１の外周面における湾曲の頂部には、ホースＡの湾曲部Ａ１を載置する壁Ｗの上端縁に掛止させる取り付け手段４０が設けられている。取り付け手段４０は、本実施の形態では、壁Ｗの上端縁を前後から挟持すべく突出した一対の舌片状の係止片４１，４１からなる。
【００３２】
図７〜図９に示すように、上カバー半体１２は、ホースＡの湾曲部Ａ１の上半側となる湾曲外側に被せる部位であり、前記上カバー半体１２と同様に、複数の筋が網目状に交差した半割筒形状に形成されている。上カバー半体１２を構成するリブも、両端の開口縁と両側端縁をなすリブが他のリブより太く、各リブは格子状に交差している。上カバー半体１２も、ホースＡの素材よりも高い剛性を備え、ある程度弾性変形が可能な合成樹脂等により成形されている。
【００３３】
上カバー半体１２の両側端縁の一端側には、位置決め手段２０の凸部２１が設けられている。凸部２１は、上カバー半体１２の外郭をなすリブの外周側より略平行四辺形状に突設され、リブより斜めに外側に突出した先端２１ａを備えている。凸部２１は、その先端２１ａが前記下カバー半体１１にある受部２２の傾斜面２２ａに一方向から案内されて係止すると、それ以上の一方向への移動は規制される。
【００３４】
一方、上カバー半体１２の両側端縁の他端側には、組み付け手段３０の係合部３１が設けられている。係合部３１は、上カバー半体１２の外郭をなすリブの外周側より弾性変形可能に延出しており、その先端３１ａは内周側に向かって出っ張るように形成されている。係合部３１は弾性変形することで、先端３１ａが前記被係合部３２の端のリブを乗り越えて、筒軸方向と交差する方向から被係合部３２にスナップフィットにより係合する。また、上カバー半体１２の外周面の中心を延びるリブには、固定用の針金等を通す小孔のある突片１４が、上カバー半体１２の両端と中間にそれぞれ設けられている。
【００３５】
次に、本実施の形態に係るホース用補助具１０の作用について説明する。  
本ホース用補助具１０を、ホースＡの湾曲部Ａ１に装着させるには、該湾曲部Ａ１を間にして各カバー半体１１，１２を上下から近接させつつ、先ず位置決め手段２０により、一方にある凸部２１を他方にある受部２２に案内させて位置決めする。
【００３６】
すなわち、下カバー半体１１の内周側にホースＡの湾曲部Ａ１を載置した状態で、その上から上カバー半体１２を被せつつ筒軸方向へ移動させ、上カバー半体１２の一端側にある凸部２１を、下カバー半体１１の一端側にある受部２２に案内させる。凸部２１の先端２１ａが受部２２の傾斜面２２ａの端まで到達すると、当該位置にてそれ以上は一方向へ移動せず位置決めされる。
【００３７】
凸部２１が受部２２に位置決めされた状態で、次に組み付け手段３０により、一方にある係合部３１を他方にある被係合部３２に係合させる。すなわち、上カバー半体１２の他端側を、下カバー半体１１の他端側に押し付ける。すると、上カバー半体１２の他端側にある係合部３１は弾性変形しつつ、その先端３１ａが下カバー半体１１にある被係合部３２の端のリブを乗り越えて、筒軸方向と交差する方向から被係合部３２にスナップフィットにより係合する。
【００３８】
前記位置決め手段２０によれば、簡易な構成かつ動作により、各カバー半体１１，１２を互いに筒軸方向の一方向に対しては動かないように、確実に位置決めすることができる。また、前記組み付け手段３０によれば、簡易な構成かつ動作により、前記位置決めと相俟って各カバー半体１１，１２が容易に外れないように確実に連結することができる。
【００３９】
また、図１０に示すように、下カバー半体１１の外周面には、ホースＡの湾曲部Ａ１を載置する壁Ｗの上端縁に掛止させる取り付け手段４０があるため、ホース用補助具１０を介してホースＡの湾曲部Ａ１を、壁Ｗの上端縁に対してズレないように容易に仮止めすることができる。
【００４０】
ホース用補助具１０をホースＡの湾曲部Ａ１に装着させた状態では、ホース用補助具１０の剛性によって、湾曲部Ａ１が所定の曲率以上に折れ曲がる等の変形が規制され、ホースＡの内部における流動空間の閉塞を防止することができる。従って、ホースＡを一部湾曲させるような配管ルートにおける給排水処理の作業効率が高まり、作業時間を短縮することができると共に、コストも低減することができる。
【００４１】
また、各カバー半体１１，１２は、複数の筋が網目状に交差した半割筒形状に形成されているから、重量を軽減することができると共に、材料費を削減することができる。なお、ホース用補助具１０をホースＡから外すには、各カバー半体１１，１２の他端側を広げるように弾性変形させて、組み付け手段３０の係合を解除すれば良い。仮に、各カバー半体１１，１２の両端側を、それぞれスナップフィットにより係合させる場合、構成が複雑となるばかりでなく、その着脱の作業も面倒となる。
【００４２】
このようなホース用補助具１０は、様々な給排水処理に使用することができ、特に、簡易設備による仮設対応としての給排水処理に適している。具体的には例えば、給排水タンクのメンテナンス時にタンク内の液体を一時的に排水する場合、屋内設備から屋外へ排水処理を行う場合、まとまった量の液体を屋外から屋内設備へ給水する場合、屋外等の一地点から複数の地点へ給水する場合等のように、簡易設備としてホースＡを利用する時に、該ホースＡの湾曲部Ａ１に使用することができる。
【００４３】
図１１に示すように、低地点から高地点へと水等の液体を移動させたい場合、低地点には吸水ポンプ（図示せず）を設置して液体を吸い上げ、ホースＡを通してＢ地点に液体を送ることになる。この時、ホースＡを配索する途中で意図的に曲げる必要がある場合、ホースＡの湾曲部Ａ１が極度に折れ曲がって潰れると、流量が低下することで処理時間の長時間化してしまうという問題があった。
【００４４】
そこで、ホースＡの湾曲部Ａ１にホース用補助具１０を装着することにより、ホースＡの適切な曲がり角度を維持することができる。これにより、ホースＡに対する不要な適宜監視の必要性に伴う集中力の低下や、折れ曲がったことによる労働生産性の低下も回避することが可能となり、慢性的な人手不足の解消による１個人の労働負担の軽減化を促進させ、時間内完了、納期遵守等と共に、不要な事故の削減、そして作業コストの低下を実現することができる。
【００４５】
次に、第２実施の形態について説明する。図１２は、本発明の第２の実施の形態を示している。  
本実施の形態に係るホース用補助具１０Ａは、各カバー半体１１Ａ，１２Ａが、ホースＡの湾曲部Ａ１における湾曲内側と湾曲外側に対して両側から組み合わされる形状に構成されている。左右のカバー半体１１Ａ，１２Ａは、湾曲した半割筒形状であり、全体的に連なる壁面を備えているが、前記第１の実施の形態と同様に、複数のリブを交差させた網目状に形成しても良い。
【００４６】
左右一方のカバー半体１１Ａにおける湾曲外側の頂部（一側端縁の中央）には、位置決め手段２３の受部２５が設けられている。受部２５は、頂部における接線と平行に延びる通孔２５ａを備えている。左右他方のカバー半体１２Ａにおける湾曲外側の頂部（一側端縁の中央）には、位置決め手段２３の凸部２４が設けられている。凸部２４は、頂部における接線と平行に延びるピン２４ａを備えている。
【００４７】
各カバー半体１１Ａ，１２Ａは、凸部２４のピン２４ａが受部２５の通孔２５ａに案内された係合状態で、該係合箇所を中心として各カバー半体１１Ａ，１２Ａは開閉動作が可能である。そのため、各カバー半体１１Ａ，１２Ａを開閉可能に組み合わされた状態で、ホースＡの湾曲部Ａ１に対して容易に装着することができる。
【００４８】
また、左右一方のカバー半体１１Ａにおける湾曲内側の両端部（他側端縁の両端）には、組み付け手段３３の係合部３４が設けられている。係合部３４は、左右他方向に突出するクリップ状の突起３４ａを備えている。左右他方のカバー半体１２Ａにおける湾曲内側の両端部（他側端縁の両端）には、組み付け手段３３の被係合部３５が設けられている。被係合部３５は、前記突起３４ａが係合するための小孔３５ａを備えている。
【００４９】
このような第２実施の形態に係るホース用補助具１０Ａによれば、各カバー半体１１Ａ，１２Ａを、前記凸部２４が前記受部２５に案内されて互いに開閉可能な状態で、ホースＡの湾曲部Ａ１の両側から挟み込むようにして、前記係合部３４を前記被係合部３５に係合させることにより、湾曲部Ａ１に対して容易に装着することができる。なお、前記凸部２４と前記受部２５は、それぞれ左右のカバー半体１１Ａ，１２Ａのうち逆の方に設けても良い。前記係合部３４と前記被係合部３５についても同様である。
【００５０】
以上、本発明の実施の形態を図面によって説明してきたが、具体的な構成は前述した実施の形態に限られるものではなく、本発明の要旨を逸脱しない範囲における変更や追加があっても本発明に含まれる。例えば、各カバー半体１１，１２，１１Ａ，１２Ａの具体的に形状や、位置決め手段２０，２３や組み付け手段３０，３３は、図示したものに限定されることはない。
【産業上の利用可能性】
【００５１】
本発明に係るホース用補助具は、例えば、建設・土木工事、地下水の組み上げ、不要な溜まり水の除去、貯水槽等の清掃や移設時に発生する水の除去、屋内の水を屋外へ排水する必要があるプラント工事、恒久設備として配管しない一時的な給排水ライン、それに、農業分野において、ビニールハウス内の水散布、畑等の水散布用の移動可能な配管設備、その他、水害対策として洪水等により浸水した家屋や商店等からの外部への排水等、様々な分野において利用することができる。
【符号の説明】
【００５２】
Ａ…ホース
Ａ１…湾曲部
１０…ホース用補助具
１０Ａ…ホース用補助具
１１…下カバー半体
１２…上カバー半体
１３…係止片
１４…突片
２０…位置決め手段
２１…凸部
２２…受部
２３…位置決め手段
２４…凸部
２５…受部
３０…組み付け手段
３１…係合部
３２…被係合部
３３…組み付け手段
３４…係合部
３５…被係合部
４０…取り付け手段
４１…係止片
【図１】
2018194065.tif 000003
【図２】
2018194065.tif 000004
【図３】
2018194065.tif 000005
【図４】
2018194065.tif 000006
【図５】
2018194065.tif 000007
【図６】
2018194065.tif 000008
【図７】
2018194065.tif 000009
【図８】
2018194065.tif 000010
【図９】
2018194065.tif 000011
【図１０】
2018194065.tif 000012
【図１１】
2018194065.tif 000013
【図１２】
2018194065.tif 000014